(57)【要約】【課題】電波吸収材の使用を最小限に抑え所望の通信エリアでのみ通信を行うことができる基地局無線機及び移動局無線機を提供する。【解決手段】制御部２３は、第１の無線部２１が受信した判断情報を判断情報テーブル２４に記録し、次いで第２の無線部２２が判断情報を受信すると、該判断情報が判断情報テーブル２４に含まれている判断情報と一致した場合、通信情報を移動局無線機３に送信し、該判断情報が判断情報テーブル２４に含まれている判断情報と一致しなかった場合、第２の無線部２２と移動局無線機３との間の通信情報に係る通信を終了する。これにより、通信エリアＡ１で受信した判断情報が通信エリアＡ２で受信した判断情報と一致する場合にのみ通信エリアＡ２で移動局無線機３と情報通信を行える。また、通信エリアＡ１、Ａ２内での無線通信となるので、電波吸収材の使用を最小限に抑えることができる。【選択図】図３
2009141757.tif 000002
【特許請求の範囲】
【請求項１】
移動局無線機が第１の通信エリア内に存在している間に前記移動局無線機から送信された前記移動局無線機を識別可能な判断情報を受信する第１の無線部と、
前記移動局無線機が第２の通信エリア内に存在している間に前記移動局無線機から送信された前記判断情報を受信する第２の無線部と、
前記第１の無線部で受信された前記判断情報を含む判断情報テーブルを作成し、前記第２の無線部で受信された前記判断情報を前記判断情報テーブルに含まれている判断情報と比較する制御部と、を備え、
前記制御部は、前記第２の無線部で受信された前記判断情報が前記判断情報テーブルに含まれている前記判断情報と一致した場合、通信情報を前記移動局無線機に送信するよう前記第２の無線部を制御すると共に、
前記第２の無線部で受信された前記判断情報が前記判断情報テーブルに含まれている前記判断情報と一致しなかった場合、前記第２の無線部と前記移動局無線機との間の前記通信情報に係る通信を終了するよう前記第２の無線部を制御する基地局無線機。
【請求項２】
前記第１の無線部が情報の受信機能のみを有する場合、前記第１の通信エリアを前記第２の通信エリアに包含させる請求項１に記載の基地局無線機。
【請求項３】
前記第１の無線部が情報の送受信機能を有する場合、前記第１の通信エリアと前記第２の通信エリアとを離間配置させる請求項１に記載の基地局無線機。
【請求項４】
移動局無線機が第１の通信エリア内に存在している間に前記移動局無線機から送信された前記移動局無線機を識別可能な判断情報を受信する第１の無線部と、
前記移動局無線機が第２の通信エリア内に存在している間に前記移動局無線機から送信された前記判断情報を受信する第２の無線部と、
前記第１の無線部で受信された前記判断情報を含む判断情報テーブルを作成し、前記第２の無線部で受信された前記判断情報を前記判断情報テーブルに含まれている判断情報と比較する制御部と、を備え、
前記制御部は、前記第２の無線部で受信された前記判断情報が前記判断情報テーブルに含まれている前記判断情報と一致した場合、前記第２の無線部と前記移動局無線機との間の通信情報に係る通信を終了するよう前記第２の無線部を制御すると共に、
前記第２の無線部で受信された前記判断情報が前記判断情報テーブルに含まれている前記判断情報と一致しなかった場合、前記通信情報を前記移動局無線機に送信するよう前記第２の無線部を制御する基地局無線機。
【請求項５】
本体が第１の通信エリア内に存在している間に前記本体を識別可能な判断情報を基地局無線機の第１の無線部に送信すると共に、前記本体が第２の通信エリア内に存在している間に前記判断情報を前記基地局無線機の第２の無線部に送信する無線部と、
前記第２の無線部で受信された前記判断情報が、前記第１の無線部で受信された前記判断情報を含むよう前記基地局無線機で作成された判断情報テーブル内の前記判断情報と一致した場合、前記第２の無線部から送信された通信情報を受信するよう前記無線部を制御すると共に、前記第２の無線部で受信された前記判断情報が、前記判断情報テーブル内の前記判断情報と一致しなかった場合、前記無線部と前記第２の無線部との間の前記通信情報に係る通信を終了するよう前記無線部を制御する制御部と、
を備えた移動局無線機。
【請求項６】
本体が第１の通信エリア内に存在している間に前記本体を識別可能な判断情報を基地局無線機の第１の無線部に送信すると共に、前記本体が第２の通信エリア内に存在している間に前記判断情報を前記基地局無線機の第２の無線部に送信する無線部と、
前記第２の無線部で受信された前記判断情報が、前記第１の無線部で受信された前記判断情報を含むよう前記基地局無線機で作成された判断情報テーブル内の前記判断情報と一致した場合、前記無線部と前記第２の無線部との間の通信情報に係る通信を終了するよう前記無線部を制御すると共に、前記第２の無線部で受信された前記判断情報が、前記判断情報テーブル内の前記判断情報と一致しなかった場合、前記第２の無線部から送信された前記通信情報を受信するよう前記無線部を制御する制御部と、
を備えた移動局無線機。
【発明の詳細な説明】
【技術分野】
【０００１】
本発明は、特定移動局との間で無線通信を行う通信システムに用いて好適な基地局無線機及び移動局無線機に関する。
【背景技術】
【０００２】
従来、特定移動局との間で無線通信を行う通信システムでは、１台の基地局無線機で通信エリアを構築し、移動局無線機と通信を行っている。また、この通信システムでは、空中線部の指向性を高めて通信エリアを絞り込むことや、電波吸収材を利用して反射を減らすことも行われている。なお、この通信システムに類似するものとして、ＩＴＳ（高度道路交通システム）における料金課金システムがある（例えば特許文献１参照）。
【０００３】
【特許文献１】特開２００２−３０４６４７号公報
【発明の開示】
【発明が解決しようとする課題】
【０００４】
しかしながら、無線通信エリアを構築する場合、無線電波の漏れ等を完全にカットすることはできず、所望の通信エリア以外でも通信してしまう問題がある。また、所望の通信エリアが大きくなると電波吸収材の費用が嵩み、また電波吸収材では直接波は回避できないという問題もある。
【０００５】
本発明は、かかる事情に鑑みてなされたものであり、電波吸収材の使用を最小限に抑え所望の通信エリアでのみ通信を行うことができる基地局無線機及び移動局無線機を提供することを目的とする。
【課題を解決するための手段】
【０００６】
本発明の基地局無線機は、移動局無線機が第１の通信エリア内に存在している間に前記移動局無線機から送信された前記移動局無線機を識別可能な判断情報を受信する第１の無線部と、前記移動局無線機が第２の通信エリア内に存在している間に前記移動局無線機から送信された前記判断情報を受信する第２の無線部と、前記第１の無線部で受信された前記判断情報を含む判断情報テーブルを作成し、前記第２の無線部で受信された前記判断情報を前記判断情報テーブルに含まれている判断情報と比較する制御部と、を備え、前記制御部は、前記第２の無線部で受信された前記判断情報が前記判断情報テーブルに含まれている前記判断情報と一致した場合、通信情報を前記移動局無線機に送信するよう前記第２の無線部を制御すると共に、前記第２の無線部で受信された前記判断情報が前記判断情報テーブルに含まれている前記判断情報と一致しなかった場合、前記第２の無線部と前記移動局無線機との間の前記通信情報に係る通信を終了するよう前記第２の無線部を制御する。
【０００７】
この構成によれば、第２の無線部で受信された移動局無線機からの判断情報が判断情報テーブルに含まれている判断情報と一致した場合、通信情報を移動局無線機に送信し、第２の無線部で受信された移動局無線機からの判断情報が判断情報テーブルに含まれている判断情報と一致しなかった場合、第２の無線部と移動局無線機との間の通信情報に係る通信を終了する。したがって、第１の通信エリア内で受信した判断情報が第２の通信エリアで受信した判断情報と一致する場合にのみ第２の通信エリア内で移動局無線機と情報通信を行える。すなわち、所望の通信エリアでのみ通信を行うことができる。また、所望の通信エリア内での無線通信となるので、電波吸収材の使用を最小限に抑えることができる。
【０００８】
また、上記構成において、前記第１の無線部が情報の受信機能のみを有する場合、前記第１の通信エリアを前記第２の通信エリアに包含させる。
【０００９】
この構成によれば、第１の無線部が情報の送信機能を有しないので、この第１の無線部の通信エリア（第１の通信エリア）を第２の無線部の通信エリア（第２の通信エリア）に包含させることができる。
【００１０】
また、上記構成において、前記第１の無線部が情報の送受信機能を有する場合、前記第１の通信エリアと前記第２の通信エリアとを離間配置させる。
【００１１】
この構成によれば、第１の無線部が情報の送受信機能を有する場合、この第１の無線部の通信エリア（第１の通信エリア）と第２の無線部の通信エリア（第２の通信エリア）を離間配置することで、移動局無線機が第２の通信エリアで第１の無線部からの情報の受信を行うことを防止できる。
【００１２】
また、本発明の基地局無線機は、移動局無線機が第１の通信エリア内に存在している間に前記移動局無線機から送信された前記移動局無線機を識別可能な判断情報を受信する第１の無線部と、前記移動局無線機が第２の通信エリア内に存在している間に前記移動局無線機から送信された前記判断情報を受信する第２の無線部と、前記第１の無線部で受信された前記判断情報を含む判断情報テーブルを作成し、前記第２の無線部で受信された前記判断情報を前記判断情報テーブルに含まれている判断情報と比較する制御部と、を備え、前記制御部は、前記第２の無線部で受信された前記判断情報が前記判断情報テーブルに含まれている前記判断情報と一致した場合、前記第２の無線部と前記移動局無線機との間の通信情報に係る通信を終了するよう前記第２の無線部を制御すると共に、前記第２の無線部で受信された前記判断情報が前記判断情報テーブルに含まれている前記判断情報と一致しなかった場合、前記通信情報を前記移動局無線機に送信するよう前記第２の無線部を制御する。
【００１３】
この構成によれば、第２の無線部で受信された移動局無線機からの判断情報が判断情報テーブルに含まれている判断情報と一致した場合、第２の無線部と移動局無線機との間の通信情報に係る通信を終了するよう第２の無線部を制御すると共に、第２の無線部で受信された判断情報が判断情報テーブルに含まれている判断情報と一致しなかった場合、通信情報を移動局無線機に送信するよう第２の無線部を制御する。したがって、第１の通信エリア内で受信した判断情報が第２の通信エリアで受信した判断情報と一致しない場合にのみ第２の通信エリア内で移動局無線機と情報通信を行える。すなわち、所望の通信エリアでのみ通信を行うことができる。また、通信エリア内での無線通信となるので、電波吸収材の使用を最小限に抑えることができる。また、移動局無線機が第１の無線部から第２の無線部に向かう経路で進入して来ない場合には移動局無線機に誤った進入をしてきたことを通知することができる。
【００１４】
また、本発明の移動局無線機は、本体が第１の通信エリア内に存在している間に前記本体を識別可能な判断情報を基地局無線機の第１の無線部に送信すると共に、前記本体が第２の通信エリア内に存在している間に前記判断情報を前記基地局無線機の第２の無線部に送信する無線部と、前記第２の無線部で受信された前記判断情報が、前記第１の無線部で受信された前記判断情報を含むよう前記基地局無線機で作成された判断情報テーブル内の前記判断情報と一致した場合、前記第２の無線部から送信された通信情報を受信するよう前記無線部を制御すると共に、前記第２の無線部で受信された前記判断情報が、前記判断情報テーブル内の前記判断情報と一致しなかった場合、前記無線部と前記第２の無線部との間の前記通信情報に係る通信を終了するよう前記無線部を制御する制御部と、を備えた。
【００１５】
この構成によれば、第１の無線部の第１の通信エリア内に存在している間に判断情報を送信した後、第２の無線部の第２の通信エリア内に存在している間に判断情報を送信することで、基地局無線機で判断情報の一致が認められた場合、該基地局無線機から送信された通信情報を受信し、判断情報の一致が認められない場合、第２の無線部との間の通信情報に係る通信を終了する。したがって、第１の通信エリア内と第２の通信エリア内の両エリアで判断情報を送信した場合で、２つの判断情報が一致した場合にのみ第２の通信エリア内で基地局無線機と通信を行うことができる。
【００１６】
また、本発明の移動局無線機は、本体が第１の通信エリア内に存在している間に前記本体を識別可能な判断情報を基地局無線機の第１の無線部に送信すると共に、前記本体が第２の通信エリア内に存在している間に前記判断情報を前記基地局無線機の第２の無線部に送信する無線部と、前記第２の無線部で受信された前記判断情報が、前記第１の無線部で受信された前記判断情報を含むよう前記基地局無線機で作成された判断情報テーブル内の前記判断情報と一致した場合、前記無線部と前記第２の無線部との間の通信情報に係る通信を終了するよう前記無線部を制御すると共に、前記第２の無線部で受信された前記判断情報が、前記判断情報テーブル内の前記判断情報と一致しなかった場合、前記第２の無線部から送信された前記通信情報を受信するよう前記無線部を制御する制御部と、を備えた。
【００１７】
この構成によれば、第１の無線部の第１の通信エリア内に存在している間に判断情報を送信した後、第２の無線部の第２の通信エリア内に存在している間に判断情報を送信することで、基地局無線機で判断情報の一致が認められた場合、第２の無線部との間の通信情報に係る通信を終了し、判断情報の一致が認められない場合、該基地局無線機から送信された通信情報を受信する。したがって、第１の通信エリア内と第２の通信エリア内の両エリアで判断情報を送信した場合で、２つの判断情報が一致しない場合にのみ第２の通信エリア内で基地局無線機と通信を行うことができる。
【発明の効果】
【００１８】
本発明によれば、電波吸収材の使用を最小限に抑え所望の通信エリアでのみ通信を行うことができる。
【発明を実施するための最良の形態】
【００１９】
以下、本発明を実施するための好適な実施の形態について、図面を参照して詳細に説明する。
【００２０】
図１は、本発明の一実施の形態に係る通信システムの概略構成を示すブロック図である。図１において、本実施の形態の通信システム１は、道路沿いに所定距離隔てて設置される第１の無線部２１、第２の無線部２２及び第１、第２の無線部２１、２２を制御する制御部２３を有する基地局無線機２と、基地局無線機２の第１、第２の無線部２１、２２と通信を行う無線部３１及び無線部３１を制御する制御部３２を有する移動局無線機３とを備える。図１では、移動局無線機３を“Ａ”と“Ｂ”に分けて２台示しているが、基地局無線機２と通信を行う移動局無線機３は多数ある。すなわち、移動局無線機３は車両に搭載して使用するものであり、移動局無線機３を搭載した車両の全てが基地局無線機２との通信が可能になっている。
【００２１】
基地局無線機２の第１の無線部２１は車両の進行方向手前にあり、第２の無線部２２は車両の進行方向奥側にある。すなわち、車両は進行して行くと、最初に第１の無線部２１の傍を通過し、次に第２の無線部２２の傍を通過する。なお、基地局無線機２の第１の無線部２１、第２の無線部２２及び移動局無線機３の無線部３１は、それぞれアンテナ等の空中線部（図示略）を含んでいる。
【００２２】
また、基地局無線機２の第１の無線部２１の通信エリア（第１の通信エリア）は“Ａ１”であり、第２の無線部２２の通信エリア（第２の通信エリア）は“Ａ２”である。これらの通信エリアＡ１、Ａ２は、第１の無線部２１が受信専用機能を選択されたか、送受信機能を選択されたかにより異なる。図２は第１の無線部２１が受信専用機能を選択された場合の通信エリアＡ１、Ａ２を示し、図３は第１の無線部２１が送受信機能を選択された場合の通信エリアＡ１、Ａ２を示す。但し、通信エリアＡ１、Ａ２は、第１、第２の無線部２１、２２が通信可能なエリアであって、通信エリア内であっても移動局無線機３の無線部３１の送信出力によっては通信ができない場合がある。因みに、移動局無線機３の無線部３１の送信範囲は２０〜４０ｍである。第１の無線部２１を受信専用機能にすると、第２の無線部２２の通信エリアＡ２内に第１の無線部２１の通信エリアＡ１を構築できるので、設置スペースの狭い場所でも使用可能となる。
【００２３】
第１の無線部２１の受信専用機能を選択した場合（すなわち図２に示す場合）、第１の無線部２１は、通信エリアＡ１において、車両５に搭載された移動局無線機３と通信を行う。通信エリアＡ１の大きさは、判断情報の受信に絞れば５ｍ位にすることが可能である。このとき、移動局無線機３と第２の無線部２２との間の距離は４０ｍ位である。
【００２４】
一方、第１の無線部２１の送受信機能を選択した場合（すなわち図３に示す場合）、第１の無線部２１は、通信エリアＡ１において、車両５に搭載された移動局無線機３と通信を行う。通信エリアＡ１の大きさは、判断情報の受信に絞れば５ｍ位にすることが可能である。第２の無線部２２も同様に、通信エリアＡ２において、車両５に搭載された移動局無線機３と通信を行う。このとき、第１の無線部２１と第２の無線部２２との間で混信が生じないように、第１の無線部２１と第２の無線部２２との間の距離を開ける必要がある。なお、図２及び図３において、矢印Ｙは車両５の進行方向を示す。
【００２５】
移動局無線機３の制御部３２は、無線部３１から自機を識別可能な判断情報Ｉｊを送信する。この場合、移動局無線機（Ａ）３は、移動局無線機（Ｂ）３と内容の異なる判断情報Ｉｊを送信し、移動局無線機（Ｂ）３も同様に移動局無線機（Ａ）３と内容の異なる判断情報Ｉｊを送信する。基地局無線機２の第１の無線部２１は、移動局無線機３からの判断情報Ｉｊを受信すると、受信した判断情報を制御部２３に通知する。基地局無線機２の第２の無線部２２は、移動局無線機３との間での情報通信時に移動局無線機３からの判断情報Ｉｊを受信すると、受信した判断情報Ｉｊを制御部２３に通知する。基地局無線機２の制御部２３は、第１の無線部２１から判断情報Ｉｊが通知され、判断情報Ｉｊとこの判断情報Ｉｊの受信時刻とを図４に示す判断情報テーブル２４に記録する。この場合、同時に複数の移動局無線機３が対象となるため、判断情報テーブル２４は判断情報ＩｊをＮ件格納できるものとする。また、車両５の速度が比較的速いので、受信時刻はミリ秒単位で記録する。また、基地局無線機２の制御部２３は、第２の無線部２２から判断情報Ｉｊの通知があると、その判断情報Ｉｊが判断情報テーブル２４内の判断情報Ｉｊと一致するかどうか判定し、この判定結果に基づき以下に示す処理を行い、対象としたい移動局無線機３とのみ通信を行う。
【００２６】
１）一致時に通信を継続する場合
第２の無線部２２で受信した判断情報Ｉｊに対して判断情報テーブル２４内に一致する判断情報Ｉｊがある場合は、基地局無線機２の制御部２３は、第２の無線部２２での情報通信を継続し、通信情報Ｉｃを移動局無線機３に渡す。不一致の場合は、制御部２３は、第２の無線部２２での情報通信を終了する。なお、情報通信の終了とは、通信切断以外に通信切断迄は行わないが、その後の通信情報Ｉｃが妥当でないことを通知すること等を含み、移動局無線機３に対し、通信情報は利用不適切であることを通知する。
【００２７】
２）不一致時に通信を継続する場合
第２の無線部２２で受信した判断情報Ｉｊに対して判断情報テーブル２４内に一致する判断情報Ｉｊがある場合は、基地局無線機２の制御部２３は、第２の無線部２２での情報通信を終了する。不一致の場合は、制御部２３は、第２の無線部２２での情報通信を継続し、通信情報Ｉｃを移動局無線機３に渡す。なお、情報通信の終了の扱いは上記１）の場合と同様である。
【００２８】
この不一致時に通信を継続する場合とは、例えば図５に示すように、車両５が第１の無線部２１から進入せず、第２の無線部２２から進入した場合が挙げられる。この場合、車両５Ｂの移動局無線機３から送信された判断情報Ｉｊが判断情報テーブル２４内にはないので不一致となる。このとき、基地局無線機２の制御部２３は情報通信を継続して妥当でないことを通知する。
【００２９】
妥当でないことの通知は、基地局無線機２と移動局無線機３間で認証を行うのであれば、基地局無線機２から移動局無線機３に不適切通知情報を通信する以外に、通信シーケンスを削減及び新たなシーケンスを定義しないために、基地局無線機２と移動局無線機３との機器認証でＮＧ（No Good）を返す方法もある。移動局無線機３は、第２の無線部２２を介して基地局無線機２から利用不適切の通知を受けた場合、第２の無線部２２からの通信情報が妥当でないと判断し、受信情報（通信情報）を利用しない。
【００３０】
次に、基地局無線機２の制御部２３の動作を説明する。図６は、判断情報が一致したときに情報通信を継続する場合の制御部２３の動作を示すフローチャートである。この図において、通信を開始すると（ステップＳＴ１０）、ユーザのボタン操作などによる通信機能の停止指示があるかどうか判定し（ステップＳＴ１１）、通信機能の停止指示の場合、通信を終了する（ステップＳＴ１２）。通信機能の停止指示が無い場合、指定時間経過後等に判断情報テーブル２４より該当の判断情報を削除する（ステップＳＴ１３）。すなわち、判断情報テーブル２４上の古い判断情報を削除する。
【００３１】
該当する古い判断情報を削除した後、移動局無線機３からの判断情報を受信したかどうか判定し（ステップＳＴ１４）、判断情報を受信していなければステップＳＴ１１に戻り、判断情報を受信していれば、それが第２の無線部２２で受信されたものかどうか判定する（ステップＳＴ１５）。第２の無線部２２で受信された判断情報でなければ、第１の無線部２１で受信された判断情報であるとしてその判断情報と、その判断情報を受信した時刻を判断情報テーブル２４に記録する（ステップＳＴ１６）。
【００３２】
ここで、通常、車両５は第１の無線部２１を通ってから第２の無線部２２を通るので、このフローチャートでは、最初はステップＳＴ１５からステップＳＴ１６に移行する。一方、ステップＳＴ１５の判定において、判断情報が第２の無線部２２で受信されたものであれば、その判断情報が判断情報テーブル２４に含まれるかどうか判定し（ステップＳＴ１７）、判断情報テーブル２４に含まれていれば通信情報の送信を行い（ステップＳＴ１８）、その後、ステップＳＴ１１に戻る。これに対して、判断情報が判断情報テーブル２４に含まれていなければ情報通信の終了を指示し（ステップＳＴ１９）、その後、ステップＳＴ１１に戻る。
【００３３】
図７は、判断情報が不一致したときに情報通信を継続する場合の制御部２３の動作を示すフローチャートである。この動作は、車両５に誤った進入をしたことを通知するものであり、ステップＳＴ２０以外の処理は、図６で説明した動作と同様であるので途中の説明は省略する。ステップＳＴ１５の判定で、受信した判断情報が第２の無線部２２からのものである場合、ステップＳＴ２０で、その判断情報が判断情報テーブル２４に含まれないかどうか判定し、含まれなければステップＳＴ１８で通信情報の送信を行って、誤って進入してきた車両５の移動局無線機３に誤って進入してきたことを通知する。一方、ステップＳＴ２０の判定で、受信した判断情報が判断情報テーブル２４に含まれていれば、誤って進入してきていないので、ステップＳＴ１９で情報通信の終了を指示する。ステップＳＴ１８又はステップＳＴ１９の処理を行った後、ステップＳＴ１１に戻る。
【００３４】
〔シーケンス図を用いた動作説明（１）〕
図８及び図９は、第１の無線部２１を“送受信機能”にして、通信情報を“同報通信”で実施する場合の第１の無線部２１及び第２の無線部２２と移動局無線機３との相互動作を示すシーケンス図である。特に、図８は判断情報が一致し、通信を継続する場合を示し、図９は判断情報が不一致で通信を終了する場合を示す。第１の無線部２１を“送受信機能”にする場合の移動局無線機３と基地局無線機２の第１の無線部２１及び第２の無線部２２との通信は、図３に示すようになる。
【００３５】
１）判断情報が一致し、通信を継続する場合
図８において、第１の無線部２１からフレーム制御情報が所定のタイミングで連続して送信され、第２の無線部２２から通信情報（１），（２），…（ｓ）が所定のタイミングで繰り返し送信される。車両５に搭載された移動局無線機３は、通信エリアＡ１内に進入すると、この通信エリアＡ１内で第１の無線部２１から送信されたフレーム制御情報を受信し、判断情報を送信する。第１の無線部２１は移動局無線機３から送信された判断情報を受信する。
【００３６】
その後、車両５が通信エリアＡ２内に進入すると、移動局無線機３は、第２の無線部２２から送信された通信情報（図では通信情報（２））を受信し、判断情報を送信する。第２の無線部２２は、移動局無線機３からの判断情報を受信すると、移動局無線機３との間で認証を行う。そして、移動局無線機３との間で機器認証ＯＫであれば、移動局無線機３に機器認証ＯＫを通知する。そして、その直後から移動局無線機３は、第２の無線部２２からの通信情報（１），（２），…（ｓ）を受信する。
【００３７】
２）判断情報が不一致で、通信を終了する場合
図９において、判断情報が不一致になる場合は、図５に示すように車両５が誤った方向すなわち第２の無線部２２から進入した場合である。この場合、通信エリアＡ１内での通信は行われず、通信エリアＡ２内でのみ行われる。
【００３８】
車両５が通信エリアＡ１内に進入することなく通信エリアＡ２内に進入すると、移動局無線機３は、第２の無線部２２から送信された通信情報を受信する。移動局無線機３は通信情報（図では通信情報（２））を受信すると、判断情報を送信する。第２の無線部２２は、移動局無線機３からの判断情報を受信すると、移動局無線機３との間で認証を行う。この場合、機器認証はＯＫとなるが、判断情報が不一致であるので、移動局無線機３に機器認証ＮＧを通知する。そして、その直後から移動局無線機３は、第２の無線部２２からの通信情報（１），（２），…（ｓ）を受信する。このとき、第２の無線部２２は、通信情報は利用不適切であることを移動局無線機３に通知する。この通知により、移動局無線機３の制御部３２は通信情報を受信しても表示又は音声出力は行わない。
【００３９】
〔シーケンス図を用いた動作説明（２）〕
図１０及び図１１は、第１の無線部２１を“送受信機能”にして、通信情報を“個別通信”で実施する場合の第１の無線部２１及び第２の無線部２２と移動局無線機３との相互動作を示すシーケンス図である。特に、図１０は判断情報が一致し、通信を継続する場合を示し、図１１は判断情報が不一致で通信を終了する場合を示す。第１の無線部２１を“送受信機能”にする場合の移動局無線機３と基地局無線機２の第１の無線部２１及び第２の無線部２２との通信は、図３に示すようになる。
【００４０】
１）判断情報が一致し、通信を継続する場合
図１０において、第１の無線部２１からフレーム制御情報が所定のタイミングで連続して送信され、第２の無線部２２からフレーム制御情報が所定のタイミングで送信される。車両５に搭載された移動局無線機３は通信エリアＡ１内に進入すると、この通信エリアＡ１内で第１の無線部２１から送信されたフレーム制御情報を受信し、判断情報を送信する。第１の無線部２１は移動局無線機３から送信された判断情報を受信する。
【００４１】
その後、車両５が通信エリアＡ２内に進入すると、移動局無線機３は第２の無線部２２から送信されたフレーム情報を受信し、判断情報を送信する。第２の無線部２２は、移動局無線機３からの判断情報を受信すると、移動局無線機３との間で認証を行う。そして、移動局無線機３との間で機器認証ＯＫであれば、移動局無線機３に機器認証ＯＫを通知する。そして、第２の無線部２２は１度だけ通信情報を送信する。その後、第２の無線部２２は、移動局無線機３にポーリングを行い、移動局無線機３からの応答を確認する。
【００４２】
２）判断情報が不一致で、通信を終了する場合
図１１において、判断情報が不一致になる場合は、図５に示すように車両５が誤った方向すなわち第２の無線部２２から進入した場合である。この場合、通信エリアＡ１内での通信は行われず、通信エリアＡ２内でのみ行われる。
【００４３】
車両５が通信エリアＡ１内に進入することなく通信エリアＡ２内に進入すると、移動局無線機３は、第２の無線部２２から送信されたフレーム制御情報を受信する。移動局無線機３はフレーム制御情報を受信すると、判断情報を送信する。第２の無線部２２は、移動局無線機３からの判断情報を受信すると、移動局無線機３との間で認証を行う。この場合、機器認証はＯＫとなるが、判断情報が不一致であるので、移動局無線機３に機器認証ＮＧを通知する。第２の無線部２２は、移動局無線機３に機器認証ＮＧを通知した後は通信情報を一切送信せず、移動局無線機３に対してポーリングを行い、移動局無線機３からの応答を確認する。
【００４４】
〔シーケンス図を用いた動作説明（３）〕
図１２及び図１３は、第１の無線部２１を“受信専用機能”にして、通信情報を“個別通信”で実施する場合の第１の無線部２１及び第２の無線部２２と移動局無線機３との相互動作を示すシーケンス図である。特に、図１２は判断情報が一致し、通信を継続する場合を示し、図１３は判断情報が不一致で通信を終了する場合を示す。第１の無線部２１を“受信専用機能”にする場合の移動局無線機３と基地局無線機２の第１の無線部２１及び第２の無線部２２との通信は、図２に示すようになる。
【００４５】
１）判断情報が一致し、通信を継続する場合
図１２において、第２の無線部２２からフレーム制御情報が所定のタイミングで連続して送信される。車両５に搭載された移動局無線機３は、通信エリアＡ１を含む通信エリアＡ２内に進入すると、通信エリアＡ１内で第２の無線部２２から送信されたフレーム制御情報を受信することで判断情報を送信する。第１の無線部２１は移動局無線機３から送信された判断情報を受信する。
【００４６】
そして、車両５が通信エリアＡ１を抜けると、移動局無線機３は、第２の無線部２２からのフレーム制御情報を受信することで判断情報を送信する。第２の無線部２２は、移動局無線機３からの判断情報を受信すると、移動局無線機３との間で認証を行う。移動局無線機３との間で機器認証ＯＫであれば、移動局無線機３に機器認証ＯＫを通知する。そして、第２の無線部２２は１度だけ通信情報を送信する。その後、第２の無線部２２は、移動局無線機３にポーリングを行い、移動局無線機３からの応答を確認する。
【００４７】
２）判断情報が不一致で、通信を終了する場合
図１３において、移動局無線機３は、車両５が通信エリアＡ１内に進入していないので、通信エリアＡ１内では通信を行わない。車両５が通信エリアＡ１を抜けると、移動局無線機３は、第２の無線部２２から送信されたフレーム制御情報を受信し、判断情報を送信する。第２の無線部２２は、移動局無線機３からの判断情報を受信すると、移動局無線機３との間で認証を行う。この場合、機器認証はＯＫとなるが、判断情報が不一致であるので、移動局無線機３に機器認証ＮＧを通知する。第２の無線部２２は、移動局無線機３に機器認証ＮＧを通知した後は通信情報を一切送信せず、移動局無線機３に対してポーリングを行い、移動局無線機３からの応答を確認する。
【００４８】
このように本実施の形態の通信システム１によれば、基地局無線機２は、最初に通信エリアＡ１で第１の無線部２１が移動局無線機３からの判断情報を受信して判断情報テーブル２４に記録し、次いで、通信エリアＡ２で第２の無線部２２が移動局無線機３からの判断情報を受信して、その判断情報が判断情報テーブル２４に含まれている判断情報と一致した場合、通信情報を移動局無線機３に送信し、第２の無線部２２で受信した判断情報が判断情報テーブル２４に含まれている判断情報と一致しなかった場合、第２の無線部２２と移動局無線機３との間の通信情報に係る通信を終了する。したがって、通信エリアＡ１で受信した判断情報が通信エリアＡ２で受信した判断情報と一致する場合にのみ通信エリアＡ２で移動局無線機３と情報通信を行える。すなわち、所望の通信エリアでのみ通信を行うことができる。また、通信エリアＡ１、Ａ２内での無線通信となるので、電波吸収材の使用を最小限に抑えることができる。
【００４９】
また、基地局無線機２は、最初に通信エリアＡ１で第１の無線部２１が移動局無線機３からの判断情報を受信して判断情報テーブル２４に記録し、次いで、通信エリアＡ２で第２の無線部２２が移動局無線機３からの判断情報を受信して、その判断情報が判断情報テーブル２４に含まれている判断情報と一致した場合、第２の無線部２２と移動局無線機３との間の通信情報に係る通信を終了すると共に、第２の無線部２２で受信された判断情報が判断情報テーブル２４に含まれている判断情報と一致しなかった場合、通信情報を移動局無線機３に送信する。したがって、通信エリアＡ１内で受信した判断情報が通信エリアＡ２で受信した判断情報と一致しない場合にのみ通信エリアＡ２内で移動局無線機と情報通信を行える。すなわち、所望の通信エリアでのみ通信を行うことができる。また、移動局無線機３が第１の無線部２１から第２の無線部２２に向かう経路で進入して来ない場合には移動局無線機３に誤った進入をしてきたことを通知することができる。
【００５０】
移動局無線機３は、第１の無線部２１の通信エリアＡ１内に存在している間に判断情報を送信した後、第２の無線部２２の通信エリアＡ２内に存在している間に判断情報を送信することで、基地局無線機３で判断情報の一致が認められた場合、基地局無線機３から送信された通信情報を受信し、判断情報の一致が認められない場合、第２の無線部２２との間の通常情報に係る通信を終了する。したがって、通信エリアＡ１内と通信エリアＡ２内の両エリアで判断情報を送信した場合で、２つの判断情報が一致した場合にのみ通信エリアＡ２内で基地局無線機３と通信を行うことができる。
【００５１】
また、移動局無線機３は、第１の無線部２１の通信エリアＡ１内に存在している間に判断情報を送信した後、第２の無線部２２の通信エリアＡ２内に存在している間に判断情報を送信することで、基地局無線機３で判断情報の一致が認められた場合、第２の無線部２２との間の通信情報に係る通信を終了し、判断情報の一致が認められない場合、基地局無線機３から送信された通信情報を受信する。したがって、通信エリアＡ１内と通信エリアＡ２内の両エリアで判断情報を送信した場合で、２つの判断情報が一致しない場合にのみ通信エリアＡ２内で基地局無線機と通信を行うことができる。
【００５２】
なお、本実施の形態の通信システムは、独自のシステムであったが、ＥＴＣプローブとＩＴＳプローブを収集する基地局を用いた通信システムをソフトウェアを変更することで利用することができる。図１４にＥＴＣプローブとＩＴＳプローブを収集する基地局を用いた通信システムの概要を示す。この図において、車両５にはＥＴＣプローブとＩＴＳプローブを送信する移動局無線機３０が搭載されている。無線部２１０はＩＴＳプローブを収集し、無線部２２０はＥＴＣプローブを収集する。制御部２３０は、無線部２１０で収集されたＩＴＳプローブを用いて道路交通情報を送信し、また無線部２２０で収集されたＥＴＣプローブを用いて料金情報を送信する。なお、図１４において符号Ｌ１、Ｌ２は車線である。
【産業上の利用可能性】
【００５３】
本発明は、電波吸収材の使用を最小限に抑え所望の通信エリアでのみ通信を行うことができるといった効果を有し、ＩＴＳ（高度道路交通システム）のナビゲーションシステムや自動料金収受システムなどへの適用が可能である。
【図面の簡単な説明】
【００５４】
【図１】本発明の一実施の形態に係る通信システムの概略構成を示すブロック図
【図２】本発明の上記実施の形態に係る通信システムの基地局無線機の第１の無線部が受信専用機能を選択された場合を示す図
【図３】本発明の上記実施の形態に係る通信システムの基地局無線機の第１の無線部が送受信機能を選択された場合を示す図
【図４】本発明の上記実施の形態に係る通信システムの基地局無線機の制御部が有する判断情報テーブルを示す図
【図５】本発明の上記実施の形態に係る通信システムにおいて車両が第１の無線部から進入せず、第２の無線部から進入した場合を示す図
【図６】本発明の上記実施の形態に係る通信システムの基地局無線機において判断情報が一致したときに情報通信を継続する場合の制御部の動作を説明するためのフローチャート
【図７】本発明の上記実施の形態に係る通信システムの基地局無線機において判断情報が不一致したときに情報通信を継続する場合の制御部の動作を説明するためのフローチャート
【図８】本発明の上記実施の形態に係る通信システムの第１の無線部を送受信機能にして、通信情報を同報通信で実施する場合の第１の無線部及び第２の無線部と移動局無線機との相互動作を示すシーケンス図
【図９】本発明の上記実施の形態に係る通信システムの第１の無線部を送受信機能にして、通信情報を同報通信で実施する場合の第１の無線部及び第２の無線部と移動局無線機との相互動作を示すシーケンス図
【図１０】本発明の上記実施の形態に係る通信システムの第１の無線部を送受信機能にして、通信情報を個別通信で実施する場合の第１の無線部及び第２の無線部と移動局無線機との相互動作を示すシーケンス図
【図１１】本発明の上記実施の形態に係る通信システムの第１の無線部を送受信機能にして、通信情報を個別通信で実施する場合の第１の無線部及び第２の無線部と移動局無線機との相互動作を示すシーケンス図
【図１２】本発明の上記実施の形態に係る通信システムの第１の無線部を受信専用機能にして、通信情報を個別通信で実施する場合の第１の無線部及び第２の無線部と移動局無線機との相互動作を示すシーケンス図
【図１３】本発明の上記実施の形態に係る通信システムの第１の無線部を受信専用機能にして、通信情報を個別通信で実施する場合の第１の無線部及び第２の無線部と移動局無線機との相互動作を示すシーケンス図
【図１４】ＥＴＣプローブとＩＴＳプローブを収集する基地局を用いた通信システムの概要を示す図
【符号の説明】
【００５５】
１  通信システム
２  基地局無線機
３  移動局無線機
５  車両
２１  第１の無線部
２２  第２の無線部
２３、３２  制御部
２４  判断情報テーブル
３１  無線部
Ａ１、Ａ２  通信エリア
【図１】
2009141757.tif 000003
【図２】
2009141757.tif 000004
【図３】
2009141757.tif 000005
【図４】
2009141757.tif 000006
【図５】
2009141757.tif 000007
【図６】
2009141757.tif 000008
【図７】
2009141757.tif 000009
【図８】
2009141757.tif 000010
【図９】
2009141757.tif 000011
【図１０】
2009141757.tif 000012
【図１１】
2009141757.tif 000013
【図１２】
2009141757.tif 000014
【図１３】
2009141757.tif 000015
【図１４】
2009141757.tif 000016